(57)【特許請求の範囲】
【請求項１】
床パンの片側に浴槽を設置し、残りを洗い場とし、洗い場の外周辺は全て水平に形成し、これら外周辺から洗い場に設けた排水口に向けて洗い場の床面部を下り傾斜させ、洗い場の外周辺の一辺にドア枠を設置したユニットバスにおいて、
少なくともドア枠を設置した部分と洗い場の床面部との間に床面部の傾斜角よりも大きい傾斜角の水返し傾斜部を設け、
洗い場のドア枠を設けた一辺を水平かつ平坦に形成し、ドア枠の洗い場側頂部から水返し傾斜部に滑らかにつながるドア枠傾斜板を延出し、
前記水返し傾斜部に滑り止め手段を設け、
前記ドア枠傾斜板と水返し傾斜板の傾斜方向に亘る幅を足の大きさ以下にしたことを特徴とするユニットバス。
【請求項２】
ドア枠傾斜板に滑り止め手段を設けたことを特徴とする請求項１に記載のユニットバス。
【請求項３】
ドア枠に水抜き手段を設けたことを特徴とする請求項１又は２に記載のユニットバス。
【請求項４】
ドア枠の内部に水抜き穴を形成するとともに、ドア枠の内部に傾斜板を設け、ドア枠内部に入った水を傾斜板を介してドア枠傾斜板の下側から洗い場に戻すようしたことを特徴とする請求項３に記載のユニットバス。
【請求項５】
前記水返し傾斜部の傾斜角度を３０°〜４０°としたことを特徴とする請求項１ないし４のいずれか１項に記載のユニットバス。
【発明の詳細な説明】
【０００１】
【発明の属する技術分野】
この発明は、ユニットバスに関する。
【０００２】
【従来の技術】
最近の住宅設備業界では、バリアフリーの考えが浸透し、ユニットバスにおいても段差部分をなくす方向で開発が行われている。ユニットバスのドア枠１００は、図１１に示すように、洗い場の床面部１０１よりも一段高く設置し、更衣室へ水が入らないようにしていた。床面部１０１とドア枠１００の設置部との間には垂直な水返し部１０２が存在することとなり、必然的に段差が生じ、バリアフリーとはならないものであった。
【０００３】
上述のような水返し部１０２を設けることによる段差をなくそうとして、図１２に示すように、ドア枠１００のすぐそばに溝１０３を設けてあふれた水を集めるようにした、所謂グレーチング構造が開発された。このグレーチング構造では、洗い場面積が狭くなり、溝１０３をふさぐ蓋１０４が必要となるためにコストアップとなり、さらには溝１０３や蓋１０４の掃除が必要となるなどの不具合があった。そこで、図１３に示すように、ドア枠１００下面に孔をあけ、ドア枠１００を排水用枠体１０５に設け、あふれた水をドア枠１００の個所でこの排水用枠体１０５に流すようにした、所謂ノングレーチング構造のものも開発された。さらに、図１４に示すように、ドア枠１００の近傍に止水板１０６を設け、ドアを閉めたときに止水板１０６を起こし、ドアから外へ漏水するのをより一層防止したものも開発された。
【０００４】
【発明が解決しようとする課題】
上述のノングレーチング構造の２つのタイプのものは、図１３に示す従来例では、ドア下内に入った髪の毛やゴミ等の清掃が困難であり、図１４に示す従来例では、あふれた水の処理が床パン以外の外部部品となり、デザイン性も悪く、止水板１００のような凸部があると危険でもあった。
【０００５】
そこで、この発明は、構造も簡単で安価にバリアフリーを実現することのできるユニットバスを提供することを目的とする。
【０００６】
【課題を解決するための手段】
上述の目的を達成するため、この発明は、床パンの片側に浴槽を設置し、残りを洗い場とし、洗い場の外周辺は全て水平に形成し、これら外周辺から洗い場に設けた排水口に向けて洗い場の床面部を下り傾斜させ、洗い場の外周辺の一辺にドア枠を設置したユニットバスにおいて、少なくともドア枠を設置した部分と洗い場の床面部との間に床面部の傾斜角よりも大きい傾斜角の水返し傾斜部を設け、洗い場のドア枠を設けた一辺を水平かつ平坦に形成し、ドア枠の洗い場側頂部から水返し傾斜部に滑らかにつながるドア枠傾斜板を延出し、前記水返し傾斜部に滑り止め手段を設け、前記ドア枠傾斜板と水返し傾斜板の傾斜方向に亘る幅を足の大きさ以下にしたものである。
【０００７】
【発明の実施の形態】
以下に、この発明の好適な実施例を図面を参照にして説明する。
【０００８】
図１に示す実施例において、床パン１の片側に浴槽２を設置し、残りを洗い場とし、洗い場の外周辺は全て略水平に形成し、これら外周辺から洗い場に設けた排水口３に向けて洗い場の床面部４を下り傾斜させ、洗い場の外周辺の一辺にドア枠５を設置してある。そして、ドア枠５を設置した床パン１の部分、すなわち床パン１の外周辺の一辺と洗い場の床面部４との間に床面部４の傾斜角よりも大きい傾斜角の水返し傾斜部６を設け、ドア枠５の洗い場側頂部からこの水返し傾斜部６に滑らかにつながるドア枠傾斜板７を延出してある。水返し傾斜部６の傾斜角度は３０°〜４０°の範囲が好ましく、ドア枠傾斜板７の傾斜角度は略４５°前後としてある。これら水返し傾斜部６とドア枠傾斜板７の傾斜方向に亘る幅は足の大きさ以下にすることが望ましい。水返し傾斜部６とドア枠傾斜板７の存在により、あふれた水が外部に漏れるのを防止している。そして、この床パン１はノングレーチング構造となり、構造も簡単なものとなる。
【０００９】
図２は平面図を示し、洗い場の外周辺から排水口３に向って下り勾配の水返し傾斜部６がそれぞれ形成してあり、床面部４は３つの面に分割されている。すなわち、洗い場の外周辺の３辺が形成する２つの隅角部と排水口３を結ぶ２本の分割線Ｌ１，Ｌ２を設け、１つの中央床面部４１と２つの側面床面部４２，４３とに洗い場を３分割してある。中央床面部４１を排水口３側に下り傾斜する傾斜面とするとともに、側面床面部４２，４３を中央床面部４１側に下り傾斜する傾斜面としてある（図中矢印参照）。このように床面部４を３分割した場合、各床面部４１〜４３は３つの台形状の床面部となり、それぞれの面積の差は著しく大きくならないので、側面床面部４２，４３の傾斜方向に比較的長い距離がとれる。なお、ドア枠５は床パン１の外周辺の水平で平坦な１辺上に設けたので、ドア枠傾斜板７を設けることとしたが、このドア枠５が設けられる個所の床パン１の部分を従来と同様に溝部に形成しておき、この溝部にドア枠５や壁が嵌め込まれるようにしてもよい。なおまた、図２に示す実施例では、ドア枠５を設置した個所以外にも水返し傾斜部６を形成してあるが、この個所に壁が嵌め込まれる溝部が形成された床パン１の場合には、このような水返し傾斜部６を設けても、設けなくてもよい。
【００１０】
図３に示す実施例では、洗い場を４分割した実施例を示し、この実施例では水返し傾斜部６は図示していないが、少なくともドア枠５が設けられる個所にはこの水返し傾斜部６が形成されている。この実施例では、排水口３を浴槽２側の１辺から離して設け、この排水口３から各辺の隅角部に向けて分割線Ｌ１乃至Ｌ４を設け、洗い場を４分割し、浴槽２側に正面床面部４４を形成した例を示す。
【００１１】
図４に示す別の実施例では、浴槽２側の１辺に沿って排水溝３１を形成し、この排水溝３１の略中央部で洗い場寄りに排水口３を設けた例を示すものである。この排水口３から外周辺が形成する隅角部に分割線Ｌ１，Ｌ２を設け、中央床面部４１と２つの側面床面部４２，４３を形成してある。この例でも水返し傾斜部６の図示を省略したが、少なくともドア枠５が設けられる個所には形成される。
【００１２】
上述した実施例において、洗い場の外周辺を水平にするのは、ドア枠５寄りの洗い場の床面部４の傾斜を緩やかにするためである。
【００１３】
図２に示す実施例において、洗い場の床面部４、水返し傾斜部６、ドア枠５、ドア枠傾斜板７の少なくともいずれかに夫々異なる色を着色し、あるいは一方を無地、他方を模様入りとするなどして互いに視覚的に区別できるようにしておくこともできる。このようにすることで、傾斜の急な水返し傾斜部６の存在が明瞭となり、足を滑らせてしまう危険を回避し、安全性を高めることができる。
【００１４】
図５に示す例は、ドア枠傾斜板７に凹凸部８を形成し、この凹凸部８を滑り止め手段としたものであり、図６に示す例は、ドア枠傾斜板７に複数のスリット９を形成し、このスリット９を滑り止め手段としたものである。これらの滑り止め手段は、図示していないが水返し傾斜部６にも設けることができる。なお、図６に示すドア枠傾斜板７のスリット９は、滑り止め手段とともに水抜き手段も兼ねている。
【００１５】
図７に示す例では、ドア枠５の内部に水抜き穴１０を形成し、内部に入った水をドア枠傾斜板７の下側から洗い場へ戻すようになっている。また、ドア枠５の内部には傾斜板１１を設けて水の戻しをスムースになるようにしてある。
【００１６】
上述した実施例において、水返し傾斜部６とドア枠傾斜板７の両方を形成したものを図示したが、ドア枠傾斜板７がないものであっても所期の目的を達成できることは上述した通りであるが、水返し傾斜部６を形成せずにドア枠傾斜板７を床面部４に向けてドア枠５の頂部から延出させたものであってもよい。
【００１７】
図８に示す実施例は、ドアを３枚の障子１２〜１４で構成し、これら障子１２〜１４をスライドさせるレール構造を備えたドア枠５を備え、洗い場４の外周辺の一辺にこのドア枠５を設置してある。ドア枠５の洗い場４側にはドア枠傾斜板７を設けてある。このドア枠傾斜板７のスロープ面には滑り止め手段として凹凸部８を形成してある。この実施例においても、洗い場４とドア枠傾斜板７との間に水返し傾斜部６を形成することができる。
【００１８】
図９は、図８に示す実施例のドア枠５とドア枠傾斜板７の概略斜視図であり、ドア枠５のレールは長手方向に２分割され、この２分割されたものの洗い場４側の側面にドア枠傾斜板７の高い部分が係合する。また、ドア枠５とドア枠傾斜板７との側面には側面板１５が取付けられる。この側面板１５は、図１０に示すように三角形フレーム部１６をドア枠傾斜板７の両側面に取付け、掩蔽部１７でドア枠５のレール側面をおおうように構成してある。三角形フレーム部１６には孔１６Ａが形成され、この孔１６Ａにピン１６Ｂを嵌め込み、このピン１６Ｂはドア枠傾斜板７の側面の孔にも嵌め込まれる。さらに、三角形フレーム部１６の下辺側にはくし状の隙間１６Ｃを形成してあり、この隙間１６Ｃから流れこんだ湯水を排水できるようになっている。
【００１９】
【発明の効果】
以上説明したように、この発明によれば、少なくともドア枠を設置した部分と洗い場の床面部との間に床面部の傾斜角よりも大きい傾斜角の水返し傾斜部を設けたので、従来のグレーチング構造のように洗い場面積を狭め、コスト高となるのを防止することができるとともに、構造も簡単なものとなり、バリアフリーを実現することができる。ドア枠傾斜板を設けたものでは、床パンにドア枠設置用の溝を成形する必要がなく、ドア枠へ水が入り込むのを防止できる。
【図面の簡単な説明】
【図１】この発明の好適な実施例を示す側断面の略図。
【図２】平面図。
【図３】他の実施例を示す平面図。
【図４】さらに別の実施例を示す平面図。
【図５】ドア枠傾斜板に滑り止め手段を設けた例を示す側断面図。
【図６】ドア枠傾斜板にスリットを設けた例を示す側断面図。
【図７】ドア枠に水抜き手段を設けた例を示す側断面図。
【図８】他の実施例を示す縦断面図。
【図９】図８におけるドア枠下部の斜視図。
【図１０】図８の実施例で用いる側面板の斜視図。
【図１１】従来例を示す側断面図。
【図１２】グレーチング構造の従来例を示す側断面図。
【図１３】ノングレーチング構造の従来例を示す側断面図。
【図１４】図１３と同様の他の従来例を示す側断面図。
【符号の説明】
１  床パン
２  浴槽
３  排水口
４  床面部
５  ドア枠
６  水返し傾斜部
【図１】
0004340361.tif 000002
【図２】
0004340361.tif 000003
【図３】
0004340361.tif 000004
【図４】
0004340361.tif 000005
【図５】
0004340361.tif 000006
【図６】
0004340361.tif 000007
【図７】
0004340361.tif 000008
【図８】
0004340361.tif 000009
【図９】
0004340361.tif 000010
【図１０】
0004340361.tif 000011
【図１１】
0004340361.tif 000012
【図１２】
0004340361.tif 000013
【図１３】
0004340361.tif 000014
【図１４】
0004340361.tif 000015